(57)【要約】【目的】書籍店員等によるタグを付け手間を排除し、かつ客等にも不快なイメージを与えることのない盗難防止機能付き書籍、およびその書籍を作製する上での効率的な製本方法を提供する。【構成】書籍本体２の表紙となる表紙材料３′に書籍本体２の本文中身４を糊付けするくるみ工程を有してなる製本方法において、表紙材料３′における本文中身４が糊付けされる部分に、磁性体より成るシート状のタグ６を予め、くるみ作業に用いる糊７と同じ糊７にて仮付けしておくようにした。【選択図】図２
2004351939.tif 000002
【特許請求の範囲】
【請求項１】
書籍本体の表紙内面に、電磁場等所定の場に影響を与えるシート状タグが貼着されていることを特徴とする盗難防止機能付き本。
【請求項２】
前記シート状タグが磁性体であることを特徴とする請求項１記載の盗難防止機能付き本。
【請求項３】
書籍本体の表紙内面に、電磁場等所定の場に影響を与える物質が印刷されていることを特徴とする盗難防止機能付き本。
【請求項４】
前記物質が磁性インキであることを特徴とする請求項３記載の盗難防止機能付き本。
【請求項５】
書籍本体の表紙となる表紙材料に書籍本体の本文中身を糊付けするくるみ工程を有してなる製本方法において、前記表紙材料における前記本文中身が糊付けされる部分に、電磁場等所定の場に影響を与えることのできるシート状のタグを予め前記糊付けに使用する糊により仮付けしておき、然る後前記本文中身を前記表紙材料に糊付けすることを特徴とする製本方法。
【発明の詳細な説明】
【技術分野】
【０００１】
本発明は盗難防止機能付き書籍および製本方法に係わり、特に、電磁場等の所定の場に影響を与える物体を書籍本体の表紙内面に予め貼着あるいは印刷形成して成る、盗難防止機能付き書籍および製本方法に関する。
【背景技術】
【０００２】
近年では、スーパーマーケット、百貨店、小売店等の店舗における商品の万引きや盗難を防止する目的で、それら商品の包装材に盗難防止用のタグ等を設けることが行われてきている。
【０００３】
この盗難防止用のタグは、通常カード状を呈し、例えば特定の周波数の電磁波に感応して該電磁波と同一のまたは異なる周波数の電磁波を発信し、あるいは、例えば磁性体により電磁場等の所定の場に影響を与え、これら発信周波数の有無あるいは電磁場等の変化を店舗の出口等で検知することにより万引きや盗難を防止しようとするものである。
【発明の開示】
【発明が解決しようとする課題】
【０００４】
ところで、上記の如くタグを商品の包装袋内に入れる等の従来の手段にあっては下記の如き不都合があった。すなわち、最近では、大型書籍店あるいは図書館等においても上記の如きタグを書籍に設け、特に高価な書籍あるいは人気図書等の無断持ち出しまたは万引きを防止しようする動きがある。しかしながら、かかる従来の如きタグでは、書籍店員あるいは図書館員等が、対象となる各書籍毎にタグを一つずつ取り付ける手間を要するといった問題があった。
【０００５】
また、書籍においては、これらタグが書籍の外部に添付されていたために、このタグが否応無しに客や利用者等の目につき、これら客や利用者に不快感を与える恐れがあるといった不都合もあった。
【０００６】
本発明は上記の事情に鑑みてなされたもので、書店員等が上記の如きタグを取り付ける手間を排除し、かつ客や利用者にも不快なイメージを与えることのない盗難防止機能付き書籍を提供することを目的としている。
【課題を解決するための手段】
【０００７】
請求項１に係る盗難防止機構付き書籍は、書籍本体の表紙内面に、電磁場等所定の場に影響を与えるシート状タグが貼着されていることを特徴とするものである。
【０００８】
請求項２に係る発明は、請求項１記載の盗難防止機能付き書籍において、前記シート状タグが磁性体であることを特徴とするものである。
【０００９】
請求項３に係る盗難防止機能付き書籍は、書籍本体の表紙内面に、電磁場等所定の場に影響を与える物質が印刷されていることを特徴とするものである。
【００１０】
請求項４に係る発明は、請求項３記載の盗難防止機能付き書籍において、前記物質が磁性インキであることを特徴とするものである。
【００１１】
請求項５に係る製本方法は、書籍本体の表紙となる表紙材料に書籍本体の本文中身を糊付けするくるみ工程を有してなる製本方法において、前記表紙材料における前記本文中身が糊付けされる部分に、電磁場等所定の場に影響を与えることのできるシート状のタグを予め前記糊付けに使用する糊により仮付けしておき、然る後前記本文中身を前記表紙材料に糊付けすることを特徴とするものである。
【発明の効果】
【００１２】
請求項１に係る盗難防止機能付き書籍によれば、タグが外部に露出せず、安易に客や利用者の目に触れることがない。また、タグを製本時に書籍に組み込むことが可能である。つまり、請求項１に係る盗難防止機能付き書籍によれば、該書籍の万引きあるいは無断持ち出し等を確実に防止することができるのは勿論のこと、盗難防止機能の付与を製本工程において行うことができる。これにより、書店員あるいは図書館員等が各書籍毎に盗難防止用のタグを取り付ける必要がなく、従来かかる作業に要していた手間を完全に排除することができる。さらに、タグとしては、所定の場に影響を与え得るものであればよいから、所要の物性を有する材料を選択することにより低コストでの作製を可能とする。また、外見からは無論、この書籍を手に取って表紙等を開いたとしてもタグが目に触れることはなく、来店者、来館者等に不快な印象を与えることも防止できる。
【００１３】
請求項２に係る盗難防止機能付き書籍によれば、タグとして磁性材を用いることにより、請求項１に係る盗難防止機能付き書籍を作製する上での高汎用性と低コスト化を実現する。
【００１４】
請求項３記載の盗難防止機能付き書籍では、請求項１記載の書籍同様、タグが外部に露出せず、安易に客や利用者の目に触れることがない。また、回路形成厚が限りなく０（ゼロ）に近づくとともに、盗難防止機能を表紙印刷時に同時に付与することができる。つまり、請求項３に係る盗難防止機能付き書籍によれば、盗難防止機能を有するタグが人目に付くのを防止でき、しかも、表紙作製段階で盗難防止機能の付与を完了できるため、従来生じていた書店員等によるタグの取付け手間を完全に排除することができる。また、盗難防止機能の付加は、本来装丁のための印刷を行うべき表紙材料に印刷することにより行うので、従来の製本工程をほとんど煩わせることなく盗難防止機能付き本を極めて効率よく作製することができる。
【００１５】
請求項４に係る盗難防止機能付き書籍によれば、請求項３に係る盗難防止機能付き書籍を作製する上においての高汎用性と低コスト化を実現する。
【００１６】
請求項５に係る製本方法によれば、請求項５記載の製本方法では、請求項１，２記載の書籍を製作する上での工程簡略を図れる。つまり、請求項５に係る製本方法によれば、請求項１または２記載の盗難防止機能付き書籍を作製するにあたり、本来装丁のための印刷を行うべき表紙材料に印刷することにより行うので、従来の製本工程をほとんど煩わせることなく極めて効率的に製本することができる。
【発明を実施するための最良の形態】
【００１７】
以下、本発明の実施例を図面を参照して説明する。
図１は本発明の第一実施例に係る盗難防止機能付き書籍（以下、単に「書籍」と略称する）１Ａを示すものである。この書籍１Ａにおいて、符号２は表紙３と本文中身４とを有して成る書籍本体である。この書籍本体２の前記表紙３の背部３ａ内面には、シート状のタグ６が設けられている。このタグ６は、例えば極めて薄く形成された金属等の磁性材より形成されている。
【００１８】
上記の如き書籍１Ａは下記の要領により製本される。すなわち、図２において符号３′は前記表紙３となる表紙材料である。この表紙材料３′までの製作過程は従来同様である。前記表紙材料３′の裏面側すなわち前記書籍本体２の内面側であって、書籍本体２の前記背部３ａとなる部分に、前記タグ６を接着剤７を用いて仮付けする。ここで、この接着剤７は後述するくるみ工程において用いる接着剤と同じものを用いる。
【００１９】
上記工程に続いて、前記表紙材料３′に前記本文中身４を付けるいわゆるくるみ作業を通常の方法に従って行う。このくるみ工程では、図３に示すように本文中身４の耳部４ａおよび見返し部４ｂに充分接着剤７を塗布した後、該本文中身４の上に供給された前記表紙材料３′と合体し、図示しないプレス機で両者をプレスする。
【００２０】
以降は、プレス機からの取外し、自然乾燥による養生、検査、仕上げ等の従来同様の作業を行うことにより前記書籍１Ａが完成される。
【００２１】
上記書籍１Ａでは、人が、この書籍１Ａを上記状態のまま店舗あるいは図書館等の出口等に電磁波発生源により形成された電磁場を抜けようとすると、磁性体より成る前記タグ６によりその電磁場が変化する（例えば起電力が生ずる）。あるいは、交番磁界内を通過することにより、該交番磁界の調波が発生する。したがって、このような電磁場の変化を検知することにより、この検知装置からの信号に基づきブザーを鳴らせたり出口のドアが閉じるようにすることができ、該書籍１Ａの万引きあるいは無断持ち出し等を防止することができる。
【００２２】
上記書籍１Ａでは、前記タグ６が表紙３における背部３ａの内面側に設けられたものであるので、このタグ６が外見からは元より、この書籍１Ａを開いた状態においてもこの本を手にした人の目に触れることがないので、来店者、来館者等に不快な印象を与えることもない。
【００２３】
また、上述の如く、盗難防止機能の付与が製本工程において既に完了されるため、書店員あるいは図書館員等が各書籍毎に盗難防止用のタグを取り付ける必要がなく、従来かかる作業に要していた手間を完全に排除することができる。
【００２４】
また、前記タグ６を書籍本体２に付設するにおいては、書籍本体２の製本工程において完了することができる。しかもその際、タグ６を表紙材料３′の内面側に付設するようにしたので、タグ６をくるみ作業の直前において行うことができ、このため、タグ６をくるみ作業に使用する前記接着剤７と全く同一の接着材７によって表紙材料３′に仮付けすることが可能である。これにより、該書籍１Ａは、従来の製本工程にあって単に前記タグ６を従来の接着剤７を用いて表紙材料３′に仮付けするといった極めて簡単な工程を付加するのみで容易に作製することができる。
【００２５】
なお、前記書籍１Ａを正規に購入あるいは借り出した人に対しては、店員あるいは館員等が、例えば、この書籍１Ａに設けられた認識標（例えばバーコード）等に基づいて該書籍１Ａに対する前記検知装置の検知機能を解除する等、適宜な手段により前記検知装置が作動するのを停止させることが可能である。
【００２６】
次に、図４は本発明の第二実施例に係る盗難防止機能付き書籍１Ｂ示すもので、上記第一実施例に示したものと同じ構成要素には同一符号を付してその説明を省略する。
【００２７】
本実施例による書籍１Ｂは、磁性体より成るタグ６を書籍本体２の表紙３の内面側に設けた点において第一実施例に示した前記書籍１Ａと同じである。ただし、この書籍１Ｂでは、タグ６を表紙３における前記背部３ａではない部分に設けた構成としている。
【００２８】
本実施例による書籍１Ｂにおいても、前記書籍１Ａ同様、タグ６をくるみ作業の直前に表紙材料３′の内面に前記接着材７を用いて仮付けするのみでよく、上記同様の作用・効果を奏することができる。
【００２９】
なお、図示は書略するが、本発明に係る盗難防止機能付き書籍の他の実施例としては、図１および図４に示した前記書籍１Ａ，１Ｂにおいて、前記タグ６の替わりに、表紙材料３′の内面の適宜な箇所に磁性インキを印刷することにより上記の如き盗難防止機能を付与するようにしてもよい。
【００３０】
盗難防止機能付き書籍をそのような構成とした場合にも、上述した実施例による書籍１Ａ，１Ｂと同様の効果を得ることができる。また、その際の磁性インキは、表紙材料３′に所定の装丁を施すための印刷を実施する際に続けて、あるいは同時に印刷可能であるから、ほとんど従来工程を煩わせることなく盗難防止機能を有した書籍を作製することができる。
【００３１】
なお、上記実施例のさらに発展形として、表紙材料３′に装丁のための印刷の少なくとも一部を磁性インキを用いて印刷するようにしてもよい。また、上記各実施例では、何れも書籍本体２として、その表紙３が厚表紙より成るいわゆる上製本として説明したが、本発明は、表紙３が薄表紙で製本された並製本にも上記同様に適用可能であり、かつ上記同様の効果を奏することができる。
【図面の簡単な説明】
【００３２】
【図１】本発明の第一実施例に係る盗難防止機能付き書籍を示す斜視図である。
【図２】第一実施例に係る盗難防止機能付き書籍の製本方法を示すもので、表紙材料およびタグを示す斜視図である。
【図３】同じく、第一実施例に係る盗難防止機能付き書籍の製本方法を図２に続いて示す斜視図である。
【図４】本発明の第二実施例に係る盗難防止機能付き書籍を示す斜視図である。
【符号の説明】
【００３３】
１Ａ、１Ｂ…盗難防止機能付き書籍
２…書籍本体
３…表紙
３′…表紙材料
４…本文中身
６…タグ
７…接着剤（糊）
【図１】
2004351939.tif 000003
【図２】
2004351939.tif 000004
【図３】
2004351939.tif 000005
【図４】
2004351939.tif 000006